【手続補正書】
【提出日】平成29年2月3日(2017.2.3)
【手続補正１】
【補正対象書類名】特許請求の範囲
【補正対象項目名】全文
【補正方法】変更
【補正の内容】
【特許請求の範囲】
【請求項１】
描画する領域を示す描画領域と、前記描画領域から取得される画像に対して設定する動きのパターンを特定するパターン特定領域と、が所定の位置に記された用紙に基づき、該用紙の該描画領域から取得した画像を動かして表示画面上に表示する画像処理システムであって、
ユーザにより描画される前記用紙の前記描画領域から描画部分の画像を抽出する抽出手段と、
前記用紙の前記パターン特定領域に基づき、複数の動きのパターンの中から、前記画像に対して設定する動きのパターンを特定する特定手段と、
前記特定手段により特定された前記動きのパターンを、前記抽出手段により抽出された前記画像に対して設定し、該動きのパターンで動く前記画像を、前記表示画面上に表示させる動作設定手段と、
を有し、
前記複数の動きのパターンは、移動、回転、拡大および縮小の動作のうち少なくとも１つに関してパターン化された動きを含み、それぞれ異なる動きのパターンである
画像処理システム。
【請求項２】
前記特定手段は、
前記パターン特定領域に対するユーザの記入に基づき、前記複数の動きのパターンのうちユーザにより指定される動きのパターンを特定する
請求項１に記載の画像処理システム。
【請求項３】
描画する領域を示す描画領域と、前記描画領域から取得される画像に対して設定する動きのパターンを特定するパターン特定領域と、が所定の位置に記された用紙に基づき、該用紙の該描画領域から取得した画像を動かして表示画面上に表示する画像処理方法であって、
ユーザにより描画される前記用紙の前記描画領域から描画部分の画像を抽出する抽出ステップと、
前記用紙の前記パターン特定領域に基づき、複数の動きのパターンの中から、前記画像に対して設定する動きのパターンを特定する特定ステップと、
前記特定ステップにより特定された前記動きのパターンを、前記抽出ステップにより抽出された前記画像に対して設定し、該動きのパターンで動く前記画像を、前記表示画面上に表示させる動作設定ステップと、
を有し、
前記複数の動きのパターンは、移動、回転、拡大および縮小の動作のうち少なくとも１つに関してパターン化された動きを含み、それぞれ異なる動きのパターンである
画像処理方法。
【請求項４】
前記特定ステップは、
前記パターン特定領域に対するユーザの記入に基づき、前記複数の動きのパターンのうちユーザにより指定される動きのパターンを特定する
請求項３に記載の画像処理方法。
【請求項５】
描画する領域を示す描画領域と、前記描画領域から取得される画像に対して設定する動きのパターンを特定するパターン特定領域と、が所定の位置に記された用紙に基づき、該用紙の該描画領域から取得した画像を動かして表示画面上に表示する画像処理装置であって、
ユーザにより描画される前記用紙の前記描画領域から描画部分の画像を抽出する抽出手段と、
前記用紙の前記パターン特定領域に基づき、複数の動きのパターンの中から、前記画像に対して設定する動きのパターンを特定する特定手段と、
前記特定手段により特定された前記動きのパターンを、前記抽出手段により抽出された前記画像に対して設定し、該動きのパターンで動く前記画像を、前記表示画面上に表示させる動作設定手段と、
を有し、
前記複数の動きのパターンは、移動、回転、拡大および縮小の動作のうち少なくとも１つに関してパターン化された動きを含み、それぞれ異なる動きのパターンである
画像処理装置。
【請求項６】
前記特定手段は、
前記パターン特定領域に対するユーザの記入に基づき、前記複数の動きのパターンのうちユーザにより指定される動きのパターンを特定する
請求項５に記載の画像処理装置。
【手続補正２】
【補正対象書類名】明細書
【補正対象項目名】０００３
【補正方法】変更
【補正の内容】
【０００３】
特許文献１には、ペン入力可能なタブレットを用いて手書き入力された画像を、電子メール作成ソフトウェアで作成中の電子メールの文書に書き込むことができるようにしたメールツールが記載されている。この特許文献１によれば、ユーザは、手書きで作成した画像を、電子データとして利用し、表示することが可能となる。
【手続補正３】
【補正対象書類名】明細書
【補正対象項目名】０００４
【補正方法】変更
【補正の内容】
【０００４】
本発明は、上記に鑑みてなされたものであって、ユーザにより手書きで作成された画像を表示するにあたり、容易にその画像に動作を与えることを可能とすることを目的とする。
【手続補正４】
【補正対象書類名】明細書
【補正対象項目名】０００５
【補正方法】変更
【補正の内容】
【０００５】
上述した課題を解決し、目的を達成するために、第１の発明は、描画する領域を示す描画領域と、描画領域から取得される画像に対して設定する動きのパターンを特定するパターン特定領域と、が所定の位置に記された用紙に基づき、用紙の描画領域から取得した画像を動かして表示画面上に表示する画像処理システムであって、ユーザにより描画される用紙の描画領域から描画部分の画像を抽出する抽出手段と、用紙のパターン特定領域に基づき、複数の動きのパターンの中から、画像に対して設定する動きのパターンを特定する特定手段と、特定手段により特定された動きのパターンを、抽出手段により抽出された画像に対して設定し、動きのパターンで動く画像を、表示画面上に表示させる動作設定手段と、を有し、複数の動きのパターンは、移動、回転、拡大および縮小の動作のうち少なくとも１つに関してパターン化された動きを含み、それぞれ異なる動きのパターンである。
【手続補正５】
【補正対象書類名】明細書
【補正対象項目名】０００６
【補正方法】変更
【補正の内容】
【０００６】
また、第２の発明は、描画する領域を示す描画領域と、描画領域から取得される画像に対して設定する動きのパターンを特定するパターン特定領域と、が所定の位置に記された用紙に基づき、用紙の描画領域から取得した画像を動かして表示画面上に表示する画像処理方法であって、ユーザにより描画される用紙の描画領域から描画部分の画像を抽出する抽出ステップと、用紙のパターン特定領域に基づき、複数の動きのパターンの中から、画像に対して設定する動きのパターンを特定する特定ステップと、特定ステップにより特定された動きのパターンを、抽出ステップにより抽出された画像に対して設定し、動きのパターンで動く画像を、表示画面上に表示させる動作設定ステップと、を有し、複数の動きのパターンは、移動、回転、拡大および縮小の動作のうち少なくとも１つに関してパターン化された動きを含み、それぞれ異なる動きのパターンである。
【手続補正６】
【補正対象書類名】明細書
【補正対象項目名】０００７
【補正方法】変更
【補正の内容】
【０００７】
また、第３の発明は、描画する領域を示す描画領域と、描画領域から取得される画像に対して設定する動きのパターンを特定するパターン特定領域と、が所定の位置に記された用紙に基づき、用紙の描画領域から取得した画像を動かして表示画面上に表示する画像処理装置であって、ユーザにより描画される用紙の描画領域から描画部分の画像を抽出する抽出手段と、用紙のパターン特定領域に基づき、複数の動きのパターンの中から、画像に対して設定する動きのパターンを特定する特定手段と、特定手段により特定された動きのパターンを、抽出手段により抽出された画像に対して設定し、動きのパターンで動く画像を、表示画面上に表示させる動作設定手段と、を有し、複数の動きのパターンは、移動、回転、拡大および縮小の動作のうち少なくとも１つに関してパターン化された動きを含み、それぞれ異なる動きのパターンである。
【手続補正７】
【補正対象書類名】明細書
【補正対象項目名】０００８
【補正方法】変更
【補正の内容】
【０００８】
本発明によれば、ユーザにより手書きで作成された画像を表示するにあたり、容易にその画像に操作を与えることが可能となるという効果を奏する。